(57)【要約】【課題】シンプルかつコンパクトな機構として、流入する二種類の水の内の一方の水の流出時に、二種類の流出口の内の一方の流出口だけに限定して、流出させることができる水切換弁を提供すること。【解決手段】水切換弁１８の弁室２６は、二種類の水をそれぞれ流入させる第１・第２流入口２７・２８と、流入した水をそれぞれ流出させる第１・２流出口と、を備える。弁室内には、操作杆８８の操作による揺動時に弁体３２・３３を作動させて第１流入口と第２流入口とを択一的に開閉可能な流入用振り子５７と、操作杆９２の操作による揺動時に弁体を作動させて第１流出口と第２流出口とを択一的に開閉可能な流出用振り子６５と、を備える。振り子５７は、振り子６５側に突設され、所定方向への揺動時に振り子６５に当接して振り子６５を共回りさせ、かつ、逆方向への揺動時に当接部位７１から離れる当接片６３を、備える。【選択図】図３
2004121916.tif 000002
【特許請求の範囲】
【請求項１】
弁室に、二種類の水をそれぞれ流入させる第１・第２流入口と、流入した水をそれぞれ流出させる第１・２流出口と、が開口されるとともに、
弁室内に、
揺動時に弁体を作動させて第１流入口と第２流入口とを択一的に開閉可能な流入用振り子と、
流入用振り子の揺動面と略平行な揺動面を有して、流入用振り子と重なるように配置されるとともに、揺動時に弁体を作動させて第１流出口と第２流出口とを択一的に開閉可能な流出用振り子と、
弁室外から操作して、流入用振り子を第１流入口の開弁状態と第２流入口の開弁状態とに揺動可能な流入用操作杆と、
弁室外から操作して、流出用振り子を第１流出口の開弁状態と第２流出口の開弁状態とに揺動可能な流出用操作杆と、
一方の流入用振り子または流出用振り子から他方の流出用振り子または流入用振り子側に突設され、一方の流入用振り子または流出用振り子の所定の一方向への揺動時に他方の流出用振り子または流入用振り子に当接して、流入用振り子と流出用振り子とを共回りさせ、かつ、逆方向への揺動時に当接部位から離れる当接片と、
が配設されている水切換弁。
【請求項２】
前記流入用操作杆が、それぞれの弁室側への押圧時に、流入用振り子を第１流入口の開弁状態から第２流入口の開弁状態に揺動可能な流入用第１ピンと、流入用振り子を第２流入口の開弁状態から第１流入口の開弁状態に揺動可能な流入用第２ピンと、を備えて構成され、
前記流出用操作杆が、それぞれの弁室側への押圧時に、流出用振り子を第１流出口の開弁状態から第２流出口の開弁状態に揺動可能な流出用第１ピンと、流出用振り子を第２流出口の開弁状態から第１流出口の開弁状態に揺動可能な流出用第２ピンと、を備えて構成され、
流入用第１ピンまたは流入用第２ピンの一つと、流出用第１ピンまたは流出用第２ピンの一つと、が、隣接して配置されるとともに、弁室外に突出する両端部を一つの操作ボタンにより覆って、配設されていることを特徴とする請求項１に記載の水切換弁。
【請求項３】
第１・第２流入口に配置される弁体が、それぞれ、
内部を水流入路とする筒状として、水密性を有しかつ軸方向に摺動可能に、弁室から水の供給路側へ突設されるとともに、
流入用振り子に連動して、閉弁時、先端面を、供給路側に配置された弁座に当接させ、開弁時、先端面を弁座から離すように、配設されていることを特徴とする請求項１若しくは請求項２に記載の水切換弁。
【請求項４】
請求項１乃至請求項３のいずれかの一項に記載の水切換弁が、ハウジング内に収納されている吐水具。
【請求項５】
前記ハウジングの外表面に、メッキ層が設けられていることを特徴とする請求項４に記載の吐水具。
【発明の詳細な説明】
【０００１】
【発明の属する技術分野】
本発明は、浄水・原水等の二種類の水を切り換えて流入させて、流入させた二種類の水の内、一方の水を二種類の流出口から適宜切り換えて流出可能とするとともに、他方の水を一種類の流出口だけから流出させるように構成した水切換弁及びこの水切換弁を使用した吐水具に関し、例えば、台所・厨房・洗面台等に配設されるシャワーヘッドに好適な浄水原水切換弁及び吐水具に関する。
【０００２】
【従来の技術】
従来、台所で使用されるシャワーヘッドでは、流入させる水を浄水と原水とに切り換えて流入させたり、また、流出時の吐水形態を切り換えて、ストレート状に流出させたり、あるいは、シャワー状に流出させるように、構成されていた（例えば、特許文献１参照）。
【０００３】
このようなシャワーヘッドでは、浄水と原水との流入させる水の種類の切り換えと、吐水形態の切り換えと、の二つの切り換え操作を行なって、浄水のストレート吐水とシャワー吐水、あるいは、原水のストレート吐水とシャワー吐水、の合計四種類の水の流出状態を、切り換え可能に構成されていた。
【０００４】
【特許文献１】
特開２００１−２４５８１０公報（第７頁段落番号
【００４５】）
【０００５】
【発明が解決しようとする課題】
しかし、上記のようなシャワーヘッドでは、流入する浄水が、浄化装置を通過して、圧力を低下させている場合があり、そのような場合、例えば、流出抵抗が大きなシャワー吐水で流出させても、円滑に、浄水がシャワー状に流出せず、浄水のシャワー吐水への切り換えが無駄となる場合があった。
【０００６】
このような場合の対策としては、流入させる水を原水から浄水に切り換える際に、吐水形態を、流出抵抗の小さな例えばストレート吐水に切り換えて、すなわち、流入させた浄水を、シャワー吐水となる流出口からストレート吐水となる流出口に切り換えて流出させることが望ましい。さらに、そのように構成しても、複雑にせず、かつ、コンパクトな機構で構成することが望ましい。
【０００７】
本発明は、上述の課題を解決するものであり、シンプルかつコンパクトな機構として、流入する二種類の水の内の一方の水の流出時に、二種類の流出口の内の一方の流出口だけに限定して、流出させることができる水切換弁とその切換弁を備えた吐水具を提供することを目的とする。
【０００８】
【課題を解決するための手段】
本発明に係る水切換弁は、弁室に、二種類の水をそれぞれ流入させる第１・第２流入口と、流入した水をそれぞれ流出させる第１・２流出口と、が開口されるとともに、
弁室内に、
揺動時に弁体を作動させて第１流入口と第２流入口とを択一的に開閉可能な流入用振り子と、
流入用振り子の揺動面と略平行な揺動面を有して、流入用振り子と重なるように配置されるとともに、揺動時に弁体を作動させて第１流出口と第２流出口とを択一的に開閉可能な流出用振り子と、
弁室外から操作して、流入用振り子を第１流入口の開弁状態と第２流入口の開弁状態とに揺動可能な流入用操作杆と、
弁室外から操作して、流出用振り子を第１流出口の開弁状態と第２流出口の開弁状態とに揺動可能な流出用操作杆と、
一方の流入用振り子または流出用振り子から他方の流出用振り子または流入用振り子側に突設され、一方の流入用振り子または流出用振り子の所定の一方向への揺動時に他方の流出用振り子または流入用振り子に当接して、流入用振り子と流出用振り子とを共回りさせ、かつ、逆方向への揺動時に当接部位から離れる当接片と、
が配設されていることを特徴とする。
【０００９】
本発明に係る水切換弁では、一方の流入用振り子または流出用振り子の所定方向への揺動時に、当接片によって、流入用振り子と流出用振り子とが共回りし、一方の流入用振り子または流出用振り子の逆方向への揺動時、共回りせずに、一方の流入用振り子または流出用振り子だけが揺動する。
【００１０】
そのため、例えば、当接片が、流入用振り子から突設されて、流入用振り子が第１流入口の開弁状態から第２流入口の開弁状態へ揺動する際に、流出用振り子が当接片の当接によって共回りして、第１流出口の開弁状態から第２流出口の開弁状態に揺動する構成とすれば、操作後には、第２流入口と第２流出口とが開弁されて、第２流入口から流入した所定の水が第２流出口から流出する状態となる。
【００１１】
その後、流入用振り子を逆方向へ揺動させる際には、流入用振り子が第２流入口の開弁状態から第１流入口の開弁状態へ揺動するものの、当接片が流出用振り子の当接箇所から離れて、流出用振り子は、揺動せず、第２流出口の開弁状態を維持する。そのため、この操作後には、第１流入口と第２流出口とが開弁されて、第１流入口から流入した水が第２流出口から流出する状態となる。
【００１２】
また、第２流入口から流入した所定の水が第２流出口から流出する状態から、流出用振り子を揺動させて、第２流出口の開弁状態から第１流出口の開弁状態に移行させる際には、流出用振り子が、当接片に当接して、逆に流入用振り子を押して共回りさせ、流入用振り子を第２流入口の開弁状態から第１流入口の開弁状態へ揺動させる。そのため、流出用振り子を操作しても、操作後には、第１流入口と第１流出口とが開弁されて、第１流入口から流入した水が第１流出口から流出する状態となる。
【００１３】
したがって、上記の場合には、第１流入口から流入する水を、第１・２流出口から流出させることができるものの、第２流入口から流入する水は、第２流出口からのみ流出することとなる。なお、上記の構成において、第１流出口と第２流出口とを反対に配置すれば、第１流入口から流入する水を、第１・２流出口から流出させることができ、かつ、第２流入口から流入する水を、第１流出口からのみ流出させることとなる。さらに、上記の構成において、第１流入口と第２流入口とを反対に配置すれば、第２流入口から流入する水を、第１・２流出口から流出させることができ、かつ、第１流入口から流入する水を、第２流出口からのみ流出させることとなる。
【００１４】
また、当接片が、流出用振り子から突設されて、流出用振り子が第１流出口の開弁状態から第２流出口の開弁状態へ揺動する際に、流入用振り子が当接片の当接によって共回りして、第１流入口の開弁状態から第２流入口の開弁状態に揺動する構成とすれば、操作後には、第２流入口と第２流出口とが開弁されて、第２流入口から流入した所定の水が第２流出口から流出する状態となる。
【００１５】
その後、流出用振り子を逆方向へ揺動させる際には、流出用振り子が第２流出口の開弁状態から第１流出口の開弁状態へ揺動するものの、当接片が流入用振り子の当接箇所から離れて、流入用振り子は、揺動せず、第２流入口の開弁状態を維持する。そのため、この操作後には、第２流入口と第１流出口とが開弁されて、第２流入口から流入した水が第１流出口から流出する状態となる。
【００１６】
さらに、第２流入口から流入した所定の水が第２流出口から流出する状態から、流入用振り子を揺動させて、第２流入口の開弁状態から第１流入口の開弁状態に移行させる際には、流入用振り子が、当接片に当接して、逆に流出用振り子を押して共回りさせ、流出用振り子を第２流出口の開弁状態から第１流出口の開弁状態へ揺動させる。そのため、流入用振り子を操作しても、操作後には、第１流入口と第１流出口とが開弁されて、第１流入口から流入した水が第１流出口から流出する状態となる。
【００１７】
したがって、上記の場合には、第２流入口から流入する水を、第１・２流出口から流出させることができるものの、第１流入口から流入する水は、第１流出口からのみ流出することとなる。上記の構成でも、第１流出口と第２流出口とを反対に配置すれば、第２流入口から流入する水を、第１・２流出口から流出させることができ、第１流入口から流入する水を、第２流出口からのみ流出させることとなる。さらに、上記の構成において、第１流入口と第２流入口とを反対に配置すれば、第１流入口から流入する水を、第１・２流出口から流出させることができて、第２流入口から流入する水を、第１流出口からのみ流出させることとなる。
【００１８】
そして、このような機構が、相互の揺動面を略平行として相互に重なるように配設される流入用振り子と流出用振り子とを使用し、さらに、単に、一方の流入用振り子または流出用振り子から他方の流出用振り子または流入用振り子側に突設される当接片を設けるだけで、構成できることから、水切換弁をシンプルかつコンパクトに構成することができる。
【００１９】
したがって、本発明に係る水切換弁は、シンプルかつコンパクトな機構として、流入する二種類の水の内の一方の水の流出時に、二種類の流出口の内の一方の流出口だけに限定して、流出させることができる。
【００２０】
なお、流入用振り子と流出用振り子とを揺動操作する各操作杆は、後述するように揺動方向に対応させて二本のピンを設けて構成してもよいが、それぞれ、一方向の揺動操作だけでなく、逆方向の揺動操作を可能とするように、例えば、各振り子の揺動中心付近に固着させて弁室外に突出させて揺動操作する一つの操作レバー、あるいは、各振り子に固着させて弁室外に突出させて押圧操作と引き出し操作とで揺動操作する操作ピン等を、例示できる。
【００２１】
また、第１流入口や２流入口から流入させる水の種類としては、水道水や湯等の原水や原水を浄化した浄水が例示できる。また、第１流出口や第２流出口から流出させる水の吐出形態としては、多数の散水孔を設けた散水板を使用して多数の細い線状の水を流出させるシャワー吐水、整流板等を使用して集中かつ整流させた水を流出させるストレート吐水、空気を混入させて水を流出させる泡沫吐水、霧状の細かい水粒を流出させるミスト吐水、湯や水を断続的に流出させる脈動吐水、小径の孔から高速度で流出させるジェット吐水、やや大径の孔から大流量の湯や水を落下させるうたせ湯吐水、流出させる水をシャワー吐水より大粒にした大粒吐水が例示できる。
【００２２】
そして、本発明の水切換弁は、請求項２に記載するように、流入用操作杆を、それぞれの弁室側への押圧時に、流入用振り子を第１流入口の開弁状態から第２流入口の開弁状態に揺動可能な流入用第１ピンと、流入用振り子を第２流入口の開弁状態から第１流入口の開弁状態に揺動可能な流入用第２ピンと、を設けて構成し、
流出用操作杆を、それぞれの弁室側への押圧時に、流出用振り子を第１流出口の開弁状態から第２流出口の開弁状態に揺動可能な流出用第１ピンと、流出用振り子を第２流出口の開弁状態から第１流出口の開弁状態に揺動可能な流出用第２ピンと、を設けて構成し、
流入用第１ピンまたは流入用第２ピンの一つと、流出用第１ピンまたは流出用第２ピンの一つと、を、隣接して配置するとともに、それらの弁室外に突出する両端部を、一つの操作ボタンによって覆うことが望ましい。
【００２３】
このような構成では、流入用・流出用の操作杆が、それぞれ、流入用振り子と流出用振り子との一方向の揺動時にそれぞれ弁室側へ押圧操作できる二本ずつの第１・２ピンから構成されているため、流入用・流出用振り子の揺動操作を的確に行なうことができる。
【００２４】
さらに、このような構成では、流入用・流出用操作杆における第１・２ピンの内の１本ずつの弁室外側の端部を、一つの操作ボタンで覆っており、残りの二つのピンと、併せて、三つの操作部を、弁室外に配設させることができる構成となる。すなわち、例えば、水切換弁が、第１流入口から流入する水を、第１・２流出口から流出させることができ、第２流入口から流入する水を、第２流出口からのみ流出させる構成であれば、水の種類と流出口の種類との組み合わせに応じた態様として、第１流入口からの水を第１流出口から流出させる態様、第１流入口からの水を第２流出口から流出させる態様、及び、第２流入口からの水を第２流出口から流出させる態様、の計三種類の態様がある。そして、これらの三態様に対応させて、三つの操作部の内の一つの操作部を、第１流入口から流入する水を第１流出口から流出させるように操作する部位とし、残りの二つのうち一つの操作部を、第１流入口から流入する水を第２流出口から流出させるように操作する部位とし、残りの一つの操作部を、第２流入口から流入する水を第２流出口から流出させるように操作する部位として、構成することができる。そのため、このような構成の水切換弁では、三種類の水の流出態様に応じた三つの操作部を配設させることができて、誤操作を無くしたシンプルな構成とすることができる。
【００２５】
なお、二本のピンの端部を覆う一つの操作ボタンは、操作時の荷重を小さくするため、流入用振り子と流出用振り子とを共回りさせる操作でなく、流入用振り子と流出用振り子とを単独で揺動させる際に操作するピンを、覆うように配設することが望ましい。
【００２６】
また、本発明の水切換弁は、請求項３に記載するように、第１・第２流入口に配置される弁体を、それぞれ、内部を水流入路とする筒状として、水密性を有しかつ軸方向に摺動可能に、弁室から水の供給路側へ突設させるとともに、流入用振り子に連動させて、閉弁時、先端面を、供給路側に配置された弁座に当接させ、開弁時、先端面を弁座から離すように、配設させてもよい。
【００２７】
このような構成では、第１・２流入口における水の供給路側の開口部位の周縁を弁座として開口部位の全域を開閉するような弁体に比べて、軽い操作荷重で、開弁操作と閉弁操作とを行なうことができる。すなわち、水の供給路側の開口部位の周縁を弁座として開閉するような弁体では、閉弁時の弁体には、供給路側の水圧が、開口部位の面積の全域に作用し、その圧力に応じたばね等の付勢手段が必要となる。そして、その弁体を開弁させる際には、その付勢力に対抗するように、大きな操作荷重が必要となる。これに対して、上記のような構成では、閉弁時には、水の供給路側の開口部位の全域に比べて、筒状弁体の先端面の面積に応じた水圧が、作用するだけであって、閉弁時に利用するばね等の付勢手段は、小さい荷重で済み、開弁時には、筒状弁体の先端面に水圧は作用せず、操作荷重も小さくすることができる。したがって、このような構成では、弁体の閉弁時や開弁時の付勢手段や操作荷重を小さくすることができる。
【００２８】
なお、上記の弁体の構成は、本発明のような三種類の水の流出態様とするように切り換える水切換弁ばかりでなく、水の流入口の切換と水の流出口の切換とが独立して行なえるような水切換弁等に対しても、適用できる。そして、これらの場合の水切換弁の構成は、水の流入口の切換と水の流出口の切換とを行なえる水切換弁において、弁室のそれぞれの流入口側に、
内部を水流入路とする筒状として、水密性を有しかつ軸方向に摺動可能に、弁室から水の供給路側へ突設される弁体と、
水の供給路側に配置されて、閉弁時に弁体の先端面を当接させ、開弁時に弁体の先端面を離すように、配設される弁座と、
弁体を閉弁方向に付勢する付勢手段と、
弁体を開弁方向に移動させる操作杆と、が配設されていることを特徴とすることとなる。
【００２９】
そして、本発明の吐水具は、上記のような水切換弁をハウジング内に収納させて、構成されている。このような吐水具は、水切換弁の第１・２流入口から流入する水が、高温であっても、操作する使用者を保護することができる。なお、第１・２ピン若しくは操作ボタンを含めた流入用・流出用操作杆の端部は、各振り子を操作できるように、ハウジングから外部に露出させておく。さらに、吐水具としては、台所・厨房・洗面台・浴室等に配設されるシャワーヘッドや泡沫吐水とストレート吐水との切換機能を持つ吐水ヘッド等が例示できる。
【００３０】
また、上記の吐水具では、ハウジングの外表面に、メッキ層を設けておけば、外観を良好にすることができる。
【００３１】
【発明の実施の形態】
以下、本発明の一実施形態を図面に基づいて説明すると、実施形態の水切換弁１８は、図１〜３・８・９に示すように、台所に使用される吐水具としてのシャワーヘッド１におけるヘッド部３内に配設されている。この水切換弁１８は、弁室２６内に原水ＮＷと浄水ＣＷとを切り換えて流入させるとともに、流入させた水の吐出形態をシャワー吐水とストレート吐水と切り換えて流出させ、かつ、浄水ＣＷの流出時には、流出抵抗の小さいストレート吐水だけで流出させるように、構成されている。
【００３２】
シャワーヘッド１は、グリップ部２とヘッド部３とを備えて構成され、グリップ部２は、内部に、原水ＮＷを浄化するためのフィルタを備えた取替可能なカートリッジ１１を配設させている。カートリッジ１１の上端には、浄化された浄水ＣＷを流出させるニップル部１１ａが配設されるとともに、カートリッジ１１の周囲には、円筒状の連結パイプ１０が配設されている。連結パイプ１０の図示しない元部側は、図示しないホースと連結され、さらに、このホースは、水と湯とを切り換えて流入させる図示しない給水具に連結されている。連結パイプ１０の周囲には、シャワーヘッド１の外周側に露出されるハウジング５としての円筒状の筒カバー６が、配設されている。
【００３３】
ハウジング５は、筒カバー６と、ヘッド部３の上部側を覆う上カバー７と、ヘッド部３の下部側の外周を覆う下カバー８と、から構成されている。各カバー６・７・８は、ＡＢＳ樹脂等の合成樹脂から形成されて、連結パイプ１０や弁室２６内に高温の温水が流れても、使用者に熱を伝えないように、パイプ１０や弁室２６との間に所定の隙間を設けて、配設されている。また、各カバー６・７・８の表面には、クロム等の金属材料をスパッタリング等して金属光沢を得ることができるように、メッキ層５ａが、設けられている。なお、上カバー７には、弁室２６の後述するアッパケース３８をネジ９止めする取付ボス部７ａ（図３・６参照）が所定の二箇所に形成されるとともに、後述する所定の操作ボタン９６・９７・９８を挿通させる挿通孔７ｂ・７ｃ・７ｄが形成されている。
【００３４】
水切換弁１８は、実施形態の場合、ヘッド部３内に配置される弁室２６、及び、連結パイプ１０やカートリッジ１１のニップル部１１ａと弁室２６とを連結するコネクタ２０、を備えて構成されている。
【００３５】
弁室２６は、原水ＮＷを流入させる第１流入口２７、浄水ＣＷを流入させる第２流入口２８、弁室２６内に流入させた水をシャワー吐水させるように流出させる第１流出口２９、及び、弁室２６内に流入させた水をストレート吐水させるように流出させる第２流出口３０（図５・１０参照）を備えている。また、この弁室２６は、上部側の外壁を構成するアッパケース３８と、下部側の外壁を構成するロアケース７７と、を組み付けて構成されている。さらに、弁室２６内には、弁体３２・３３、リンクプレート５０、付勢手段としてのコイルばね４８・４８・７３、流入用振り子５７、流出用振り子６５、弁体７４、流入用操作杆８８、及び、流出用操作杆９２が配設されている。
【００３６】
アッパケース３８は、略円筒状の筒部３９と、筒部３９の上端側を覆う天井壁部４０と、を備えて構成され、筒部３９の所定位置には、内外周を貫通するように、挿通孔３９ａ・３９ｂ・３９ｃ・３９ｄが形成され、各孔３９ａ・３９ｂ・３９ｃ・３９ｄの周縁には、筒状の案内スリーブ部３９ｅが突設されている。挿通孔３９ａと挿通孔３９ｃとは、流入用操作杆８８の後述する流入用第１・２ピン８９・９０をそれぞれ挿通させ、挿通孔３９ｂ・３９ｄは、流出用操作杆９２の後述する流出用第１・２ピン９３・９４をそれぞれ挿通させている。天井壁部４０と筒部３９との境界部位には、斜め下方のコネクタ２０側に延びるニップル部４２が突設され、天井壁部４０の下面には、ニップル部４２に対向するように、コイルばね４８・４８を支持するばね座４０ａ・４０ｂ（図２・９参照）が並設されている。また、天井壁部４０の下面には、図６に示すように、アッパケース３８を上カバー７にネジ９止めするための取付孔４０ｃと、アッパケース３８とロアケース７７とをネジ８６止めするための取付ボス部４０ｄと、がそれぞれ所定の二箇所ずつに形成されている。さらに、天井壁部４０の下面には、流出用振り子６５の軸６７ａを軸支する支持孔４１が上方へ凹むように形成されている。
【００３７】
ニップル部４２は、筒部３９側となる元部４３に、弁体３２を嵌挿させる第１挿通孔４３ａと、弁体３３を嵌挿させる第２挿通孔４３ｂと、を配設させている。第１・２挿通孔４３ａ・４３ｂのコネクタ２０側の周縁には、コネクタ２０の後述する支持部２１・２２をそれぞれ覆うように延びる第１・２筒部４４・４５が突設されている。第１筒部４４は、第１挿通孔４３ａに嵌挿された弁体３２の筒部３４を支持部２１の内周側と連通させるように形成され、第２筒部４５は、第２挿通孔４３ｂに嵌挿された弁体３３の筒部３４を支持部２２の内周側と連通させるように形成されている。これらの第１・２筒部４４・４５は、隣接する側を一体的に結合させて形成され、さらに、周囲を一つの略円筒状の外側筒部４６に覆われている。外側筒部４６は、図３・１５に示すように、筒部４４・４５の並設方向では、筒部４４・４５の外周側と一体的に形成され、筒部４４・４５の並設方向と直交する方向では、図２に示すように、筒部４４・４５から離れて配設されている。そして、外側筒部４６は、円環状のパッキン１３によって水密性を確保して、連結パイプ１０の上端側に挿入されて連結されている。連結パイプ１０と外側筒部４６との連結は、バヨネット結合により連結されるもので、外側筒部４６の外周側に図示しない係止突起が突設され、連結パイプ１０の内周面に、パイプ１０の軸方向に沿った図示しない凹溝と、その凹溝の下端側にパイプ１０の周方向に沿った図示しない係止溝と、が形成されており、外側筒部４６の係止突起を、パイプ１０の凹溝に挿入させ、さらに、係止溝側に配置させて、両者を連結させている。
【００３８】
弁体３２・３３は、図２・３・１５に示すように、ニップル部４２の第１・２嵌挿孔４３ａ・４３ｂに嵌挿される筒部３４と、筒部３４の上端側から弁室２６の中央側に延びる平板状の連結片部３５と、を備えて構成されている。各連結片部３５の先端側には、リンクプレート５０の後述するピン部５３・５４を回動可能に嵌合させている連結孔３５ａが設けられている。また、各筒部３４は、断面略楕円環状に形成され、それぞれ、円環状のパッキン３６を利用して、ニップル部４２の第１・２挿通孔４３ａ・４３ｂ内を、水密性を確保して、筒部３４の軸方向に沿って移動可能に配設されている。さらに、各筒部３４の先端面３４ａは、図１５に示すように、外周側の全周に凹部３４ｂが形成されて、後述する弁座２４との接触面積を極力小さくして、弁座２４とのシール性能を高くするように設定されている。
【００３９】
なお、この場合、弁体３２・３３には凹部３４ｂの先端側の面積に応じた水圧が作用して、その分、弁体３２・３３の操作荷重が大きくなることから、操作荷重を重視するのであれば、凹部３４ｂは必要がない。また、シール性能も高め、弁体３２・３３の操作荷重も小さくしたい場合は、凹部３４ｂは、図１５に示すような外周側ではなくて、弁体３２・３３の内周側に形成してもよい。
【００４０】
コネクタ２０は、図２・３・１５に示すように、カートリッジ１１側では、円環状のパッキン１２によって水密性を確保して、ニップル部１１ａに外嵌されるとともに、弁室２６側では、断面略楕円環状の筒状の二つの支持部２１・２２を突設させている。支持部２２の内周側は、カートリッジ１１のニップル部１１ａの内周側と連通している。このコネクタ２０は、カートリッジ１１を経て浄化された浄水ＣＷを、支持部２２側に案内し、カートリッジ１１の外周側と連結パイプ１０の内周側との間を通過する原水ＮＷを、支持部２１側に案内するように構成されている。すなわち、支持部２１の内周側が原水供給路１５となり、支持部２２の内周側が浄水供給路１６となる。そして、各支持部２１・２２の先端には、それぞれ、図１４・１５に示すように、押え具２３を使用して、弁座プレート（弁座）２４が配設されている。各押え具２３は、弁体３２・３３の筒部３４を挿通させる挿通孔２３ｂを備えた天井壁部２３ａを備えるとともに、天井壁部２３ａの外周縁から支持部２１・２２側に延びる断面略楕円環状の筒部２３ｃを備えている。さらに、各支持部２１・２２や押え具２３の筒部２３ｃは、各断面の長軸側の両側に、開口２１ａ・２２ａ・２３ｄを配設させている。各弁座プレート２４は、略楕円形の板状として、短軸側の両縁が、各支持部２１・２２の先端面と押え具２３とで挟持され、長軸側の両縁が、凹んで開口されている。各弁座プレート２４は、ゴム等のシール材２４ｂを支持プレート２４ａに支持させて構成され、各シール材２４ｂには、閉弁時の各弁体３２・３３の筒部３４における先端面３４ａが当接する。
【００４１】
そして、図９に示すように、弁体３２の先端面３４ａが弁座２４から離れれば、開口２１ａから支持部２１内に流入していた原水ＮＷが、弁座２４の長軸側の両縁付近や押え具２３の開口２３ｄから、弁体３２の筒部３４内に流入し、筒部３４の内周側の水流入路３４ｃを経て、弁室２６内に流入することとなる。また、図３に示すように、弁体３３の先端面３４ａが弁座２４から離れれば、支持部２２内に流入していた浄水ＣＷが、弁座２４の長軸側の両縁付近や押え具２３の開口２３ｄから、弁体３３の筒部３４内に流入し、筒部３４の内周側の水流入路３４ｃを経て、弁室２６内に流入することとなる。
【００４２】
なお、実施形態の場合、弁室２６の第１流入口２７は、原水供給路１５と連通する支持部２１側の弁座２４と弁体３２とから構成され、弁室２６の第２流入口２８は、浄水供給路１６と連通する支持部２２側の弁座２４と弁体３３とから構成されることとなる。
【００４３】
また、コネクタ２０は、図３に示すように、二つの係止突起２０ａを外側筒部４６の係止孔４６ａに係止させることにより、外側筒部４６に組み付けられ、カートリッジ１１は、取り替え時、外側筒部４６にコネクタ２０を組み付けた状態で、外側筒部４６を連結パイプ１０から取り外し、連結パイプ１１の上端側から取り出して、交換することとなる。ちなみに、カートリッジ１１の交換時には、上・下カバー７・８は、弁室２６側に取り付けられた状態で、筒カバー６から離脱することとなる。
【００４４】
弁室２６内のリンクプレート５０は、図２・３・７に示すように、断面Ｌ字状の横板部５１ａと縦板部５１ｂとを有した本体部５１を備えるとともに、横板部５１ａの上下方向の中間部位からニップル部４２側に延びる横板部５２を突設させて構成されている。縦板部５１ｂは、ばね４８・４８のばね座を構成するもので、リンクプレート５０が弁室２６内に配設された状態で、弁室２６の天井壁部４０におけるばね座４０ａ・４０ｂに対向するように、配置される。なお、各ばね４８・４８は、それぞれ、各弁体３２・３３の連結片部３５における先端側を延ばした延長線状に配置されている。また、横板部５２の上面には、各弁体３２・３５の連結片部３５における連結孔３５ａに回動可能に嵌合される円柱状のピン部５３・５４が、突設されている。さらに、横板部５２の弁体筒部３４側の端面は、略弧状の押圧面５５が形成されている。押圧面５５は、流入用振り子５７の後述する開閉用突起６０を摺動させる面となる。そして、このリンクプレート５０は、流入用振り子５７の揺動中心Ｏを中心とする揺動時、図９に示すように、振り子５７の開閉用突起６０がピン部５３側に接近した際、ピン部５３側のばね４８が圧縮されるとともにピン部５４側のばね４８が伸びてその付勢力を作用させて、揺動し、そして、ピン部５３と連結された弁体３２の筒部３４を弁室２６内側に移動させて、弁体３２を弁座２４から離脱させて開弁させ、かつ、ピン部５４と連結された弁体３３の筒部３４を弁室２６外側に移動させて、弁体３３を弁座２４に当接させて閉弁させることとなる。すなわち、この時のリンクプレート５０の揺動は、原水ＮＷを弁室２６内に流入させることから、第１流入口２７の開弁動作となる。また、図３に示すように、振り子５７の開閉用突起６０がピン部５４側に接近した際には、ピン部５４側のばね４８が圧縮されるとともにピン部５３側のばね４８が伸びてその付勢力を作用させて、リンクプレート５０が揺動し、そして、ピン部５３と連結された弁体３２の筒部３４を弁室２６外側に移動させて、弁体３２を弁座２４に当接させて閉弁させ、かつ、ピン部５４と連結された弁体３３の筒部３４を弁室２６内側に移動させて、弁体３３を弁座２４から離脱させて開弁させることとなる。すなわち、この時のリンクプレート５０の揺動は、浄水ＣＷを弁室２６内に流入させることから、第２流入口２８の開弁動作となる。
【００４５】
流出用振り子５７は、図２・３・７に示すように、略長方形板状の本体部５８を備えて構成され、本体部５８の弁体３２・３３から離れた端部側には、上下方向に貫通する貫通孔５９ａを備えた揺動中心部５９が設けられている。貫通孔５９ａには、実施形態の場合、流出用振り子６５の軸６７ａが挿入されている。また、本体部５８の弁体３２・３３側の端部側上面には、リンクプレート５０の押圧面５５に摺接する開閉用突起６０が上方に突設されている。この突起６０には、押圧面５５との接触部位に、耐磨耗性を向上させるために、ステンレス等の金属製のボール６０ａが配設されている。なお、リンクプレート５０、流入用・流出用振り子５７・６５、アッパケース３８、及び、ロアケース７７は、ポリアセタール等の合成樹脂から形成されている。
【００４６】
また、振り子５７の両側部には、本体部５８から下がった位置に、それぞれ、揺動用ピン受部６１・６２が設けられている。ピン受部６１は、上方を開口させた有底の長円形の筒状に形成されて、流入用操作杆８８の後述する流入用第１ピン８９の挿入凸部８９ａを、上方から挿入させている（図４参照）。ピン受部６２は、上下を開口させた円環状に形成されて、流入用操作杆８８の後述する流入用第２ピン９０の挿入凸部９０ａを、上方から挿入させている。ピン受部６１は、揺動時における流出用振り子６５の後述するピン受部６９と干渉しないように、ピン受部６９の下方位置に配置され、また、ピン受部６２は、揺動時における振り子６５の後述するピン受部７０と干渉しにないように、ピン受部７０の上方位置に配置されている。
【００４７】
この流入用振り子５７は、第１ピン８９を弁室２６内側に押圧操作することにより、上方から見て、揺動中心部５９（揺動中心Ｏ）を中心として反時計方向に揺動して、開閉用突起６０をリンクプレート５０のピン部５４側に接近させることから、第１流入口２７の開弁状態（図９参照）から第２流入口２８の開弁状態（図３参照）に、弁体３２・３３を操作することとなる。なお、この時、第２ピン９０は、振り子５７の揺動に伴い、ピン受部６２が反時計方向に揺動するため、弁室２６外側に押し出されることとなる。
【００４８】
また、流入用振り子５７は、第２ピン９０を弁室２６内側に押圧操作することにより、上方から見て、揺動中心部５９（揺動中心Ｏ）を中心として時計方向に揺動して、開閉用突起６０をリンクプレート５０のピン部５３側に接近させることから、第２流入口２７の開弁状態（図３参照）から第１流入口２８の開弁状態（図９参照）に、弁体３２・３３を操作することとなる。なお、この時、第１ピン８９は、振り子５７の揺動に伴い、ピン受部６１が時計方向に揺動するため、弁室２６外側に押し出されることとなる。
【００４９】
さらに、流入用振り子５７の第１ピン８９側の側部には、下方に延びる当接片６３が設けられている（図３・５・７参照）。この当接片６３は、上方から見た振り子５７の反時計方向への揺動時、内側面６３ａを流出用振り子６５の後述する本体部６６の側面７１に当接させて、流入用振り子５７と流出用振り子６５とを共回りさせ、かつ、逆方向への揺動時に振り子６５への当接部位７１から離れるように、配設されている。なお、実施形態の場合、当接片６３は、本体部５８の弁体３２・３３側の端面側まで延びるように配設されている。
【００５０】
流出用振り子６５は、図２・３・７に示すように、厚さを厚くした略長方形板状の本体部６６を備えて構成されている。本体部６６は、流入用振り子５７の本体部５８と上下方向で重なるように弁室２６内に配置されるとともに、本体部６６の弁体３２・３３から離れた端部側には、振り子６５の揺動面が振り子５７の揺動面と略平行となるように、上下に延びる円柱状の軸６７ａ・６７ｂを備えた揺動中心部６７が設けられている。実施形態の場合、軸６７ａは、流入用振り子５７の貫通孔５９ａを挿通して、アッパケース３８の支持孔４１に回動可能に支持されおり、振り子５７・６５の相互の揺動中心Ｏを一致させている。また、軸６７ｂは、ロアケース７７の後述する支持孔７９に回動可能に支持されている。さらに、本体部６６の弁体３２・３３側の端部側下面には、弁体７４を付勢するコイルばね７３の上端を支持するばね座６８が、上方へ凹んで形成されている。なお、弁体７４は、ステンレス等の金属製のボールから形成され、弁室２６のロアケース７７側に配置された第１流出口２９と第２流出口３０とを択一的に開閉するものである。
【００５１】
また、振り子６５の両側部には、本体部６６から下がった位置に、それぞれ、揺動用ピン受部６９・７０が設けられている。ピン受部６９は、上下を開口させた円環状に形成されて、流出用操作杆９２の後述する流出用第１ピン９２の挿入凸部９２ａを、上方から挿入させている。ピン受部７０は、上方を開口させた有底の長円形の筒状に形成されて、流出用操作杆９２の後述する流出用第２ピン９４の挿入凸部９４ａを、上方から挿入させている（図４参照）。
【００５２】
この流出用振り子６５は、第１ピン９３を弁室２６内側に押圧操作することにより、上方から見て、揺動中心部６７（揺動中心Ｏ）を中心として反時計方向に揺動して、弁体７４を第２流出口３０側から第１流出口２９側に移動させることから、第１流出口２９の開弁状態（図１０のＢ参照）から第２流出口３０の開弁状態（図５・１０のＡ参照）に、弁体７４を操作することとなる。なお、この時、第２ピン９４は、振り子６５の揺動に伴い、ピン受部７０が反時計方向に揺動するため、弁室２６外側に押し出されることとなる。
【００５３】
また、流入用振り子６５は、第２ピン９４を弁室２６内側に押圧操作することにより、上方から見て、揺動中心部６７（揺動中心Ｏ）を中心として時計方向に揺動して、弁体７４を第１流出口２９側から第２流出口３０側に移動させることから、第２流出口３０の開弁状態（図５・１０のＡ参照）から第１流出口２９の開弁状態（図１０のＢ参照）に、弁体７４を操作することとなる。なお、この時、第１ピン９３は、振り子６５の揺動に伴い、ピン受部６９が時計方向に揺動するため、弁室２６外側に押し出されることとなる。
【００５４】
そして、流出用振り子６５の本体部６６における第１ピン９３側の側部が、振り子６５から延びる当接片６３と当接する当接部位７１としているため、図３に示す状態から、流出用振り子６５を時計方向へ揺動させれば、振り子６５の当接部位７１が当接片６３を押して、振り子５７を共回りさせて時計方向に揺動させることができる。
【００５５】
流入用操作杆８８は、流入用第１ピン８９と流入用第２ピン９０とを備えて構成されている。第１ピン８９は、弁室２６側への押圧時に、流入用振り子５７を、第１流入口２７の開弁状態から第２流入口２８の開弁状態とするように、上方から見て反時計方向に揺動させるもので、振り子５７の当接片６３近傍のアッパケース３８の挿通孔３９ａを挿通しており、弁室２６内側の先端に、振り子５７のピン受部６１に係合する挿入凸部８９ａを備え、かつ、弁室２６外側の端部８９ｂには、上カバー７の挿通孔７ｂから露出される操作ボタン９６を固着させている。第２ピン９０は、弁室２６側への押圧時に、流入用振り子５７を、第２流入口２８の開弁状態から第１流入口２７の開弁状態とするように、上方から見て時計方向に揺動させるもので、振り子５７の揺動中心Ｏを基準として弁体３２・３３の反対側に位置するアッパケース３８の挿通孔３９ｃを挿通しており、弁室２６内側の先端に、振り子５７のピン受部６２に係合する挿入凸部９０ａを備え、かつ、弁室２６外側の端部９０ｂは、上カバー７の挿通孔７ｃから露出される操作ボタン９８に覆われている。
【００５６】
流出用操作杆９２は、流出用第１ピン９３と流出用第２ピン９４とを備えて構成されている。第１ピン９３は、弁室２６側への押圧時に、流出用振り子６５を、第１流出口２９の開弁状態から第２流出口３０の開弁状態とするように、上方から見て反時計方向に揺動させるもので、振り子６５の揺動中心Ｏを基準として弁体３２・３３の反対側に位置するアッパケース３８の挿通孔３９ｂを挿通して、流入用操作杆８８の第２ピン９０に隣接して配設されている。そして、第１ピン９３は、弁室２６内側の先端に、振り子６５のピン受部６９に係合する挿入凸部９３ａを備え、かつ、弁室２６外側の端部９３ｂは、上カバー７の挿通孔７ｃから露出される操作ボタン９８に、流入用操作杆８８の第２ピン９０における端部９０ｂと共に、覆われている。第２ピン９４は、弁室２６側への押圧時に、流出用振り子６５を、第２流出口３０の開弁状態から第１流出口２９の開弁状態とするように、上方から見て時計方向に揺動させるもので、振り子６５の揺動中心Ｏと弁体３２・３３とを結ぶ線を基準として、挿通孔３９ａと線対称（左右対称）の位置に配置されるアッパケース３８の挿通孔３９ｄを挿通している。そして、第２ピン９４は、弁室２６内側の先端に、振り子６５のピン受部７０に係合する挿入凸部９４ａを備え、弁室２６外側の端部９４ｂには、上カバー７の挿通孔７ｄから露出される操作ボタン９７を固着させている。
【００５７】
各ピン８９・９０・９３・９４は、パッキン９５（図９参照）を利用して水密性を確保して、アッパケース３８の孔３９ａ・３９ｂ・３９ｃ・３９ｄを挿通しており、また、操作ボタン９８は、上カバー７の挿通孔７ｃの周縁に係止させるように、係止爪９８ａ（図２参照）を備えている。
【００５８】
ロアケース７７は、図２・５・７・１０に示すように、略円板状の天井壁部７８と、天井壁部７８の外周縁から下方に延びる略円筒状の周壁部８３と、を備えて構成されている。天井壁部７８には、弁体７４により開閉される第１・２流出口２９・３０が開口されるとともに、上面側に、振り子６５の軸６７ｂを支持する支持孔７９が凹んで形成されている。なお、天井壁部７８の上面側における流出口２９・３０の周縁は、略長円形状に下方へ凹んでおり、この凹部には、流出口２９・３０に連通する孔７５ａ・７５ｂを開口させたパッキン７５が、嵌合されている。また、天井壁部７８には、図６・１０に示すように、リンクプレート５０及び振り子５７・６５を配設させた状態で、ロアケース７７をアッパケース３８にネジ８６止めするための取付孔８０が所定の二箇所に形成されている。さらに、天井壁部７８の下面の中央には、下方に延びる略円筒状の筒部８１が形成されると共に、天井壁部７８には、第２流出口３０と筒部８１の内周側とを連通するように、連通路８２が形成されている。
【００５９】
ロアケース７７の周壁部８３の外周面の上部側には、アッパケース３８の筒部３９における下端側が、円環状のパッキン８４を使用して水密性を確保して、外嵌され、周壁部８３の外周側の下部側には、散水板１００の外周側筒部１０１が、円環状のパッキン８５を利用して水密性を確保して、外装されている。周壁部８３と外周側筒部１０１とは、対応する雌ネジと雄ネジとが形成されて、相互にネジ結合されている。
【００６０】
散水板１００は、中央に円形の開口１００ｂを備えた略円板状として、外周側の上方に延びる円筒状の外周側筒部１０１と、開口１００ｂの周縁から下方へ延びる円筒状の内周側筒部１０２と、を備えて構成されている。外周側筒部１０１と内周側筒部１０２との間には、多数の小径の散水孔１００ａが上下面を貫通して形成されている。また、内周側筒部１０２内には、泡沫器１０４が配設されている。そして、この散水板１００は、外周側筒部１０１の内周側と内周側筒部１０２の外周側との間の散水孔１００ａの配置領域を、ロアケース７７における周壁部８３の内周側と筒部８１の外周側との間の領域に一致させるように、配置されており、第１流出口２９から流出された水を散水孔１００ａを経てシャワー吐水させることとなる。そしてまた、この散水板１００は、内周側筒部１０２の内周側の開口１００ｂをロアケース７７の筒部８１の内周側と連通させるように配置されており、第２流出口３０から流出された水を泡沫器１０４を経てストレート吐水させることとなる。
【００６１】
なお、図２・８に示す符号１０６の部材は、カートリッジ１１の交換時期を表示する表示板である。この表示板１０６は、略半割円筒状として、アッパケース３８の筒部３９や散水板１００の外周側筒部１０１の外周面と下カバー８の内周面との間で、回動させ、かつ、停止可能に、配設されている。そして、表示板１０６は、外周面に一年に応じた１２ヶ月の月数が表示されて、所定の月数を、図１に示すように、上カバー７の表示窓７ｅから表示できるように、構成されている。
【００６２】
また、実施形態の場合、流入用操作杆８８としての流入用第１・第２ピン８９・９０及び流出用操作杆９２としての流出用第１・第２ピン９３・９４には、それぞれ、挿入凸部８９ａ・９０ａ・９３ａ・９４ａが設けられて、ピン受部６１・６２・６９・７０に係合する構成としているが、このように構成するのは、流入用第１・第２ピン８９・９０及び流出用第１・第２ピン９３・９４が弁室２６から抜け出ることを防止するためであって、各ピン８９・９０・９３・９４が抜けるのを防止するための他の構成としては、例えば、それぞれのピン８９・９０・９３・９４に係止爪を設け、各係止爪を挿通孔３８ａ・３９ｃ・３９ｂ・３９ｄに係止させるようにしてもよい。
【００６３】
つぎに、実施形態のシャワーヘッド１の使用態様について説明する。まず、シャワーヘッド１の使用当初、図１３に示すように、操作ボタン９７を押し、流入用振り子５７が第１流入口２７を開弁状態（弁体３２を開弁させ弁体３３を閉弁させた状態）として、流出用振り子６５が第１流出口２９を開弁状態としているとする。この状態では、原水ＮＷが、原水供給路１５となるコネクタ２０の支持部２１から、弁体３２の筒部３４における水流入路３４ｃを経て、弁室２６内に流入し、さらに、第１流出口２９から散水板１００の散水孔１００ａの領域内に流出するため、シャワーヘッド１からシャワー吐水として、流出される。なお、この状態は、操作ボタン９７を押圧操作した状態であるため、操作ボタン９７は、原水シャワーボタンとして使用することができる。
【００６４】
そして、この状態から、例えば、操作ボタン９６を押圧する。すると、流入操作杆８８の流入用第１ピン８９が押圧されて、図１３から図１１に示すように、流入用振り子５７が揺動中心Ｏを中心として反時計方向に揺動し、図３に示すように、開閉用突起６０をリンクプレート５０のピン部５４側に接近させて、リンクプレート５０を揺動させるため、弁体３２の先端面３４ａを原水供給路１５側の弁座２４に当接させ、また、弁体３３の先端面３４ａを浄水供給路１６側の弁座２４から離すこととなる。すなわち、第２流入口２８を開弁させ、第１流入口２７を閉弁させることとなる。さらに、この流入用振り子５７の揺動時には、当接片６３が流出用振り子６５の当接部位７１に当接して、流出用振り子６５を共回りさせるため、図１３から図１１に示すように、流出用振り子６５も揺動中心Ｏを中心として反時計方向に揺動する。そのため、弁体７４が、第１流出口２９の開弁状態から第２流出口３０の開弁状態に移行する。その結果、シャワーヘッド１は、図２・３に示す状態となって、第２流入口２８から弁室２６内に流入した浄水ＣＷが、第２流出口３０から散水板１００の内周側筒部１０２の領域内に流出して、ストレート吐水される。なお、この状態は、操作ボタン９６を押圧操作した状態であるため、操作ボタン９６は、浄水ストレートボタンとして使用することができる。
【００６５】
ついで、この図２・３・１１に示す状態から、操作ボタン９８を押圧操作する。すると、上述の操作において、流入用振り子５７の反時計方向への揺動に伴って弁室２６外側に突き出ていた流入用第２ピン９０が、弁室２６内側に押圧操作され、流入用振り子５７が、図１１から図１２に示すように、揺動中心Ｏを中心として時計方向に揺動し、図９に示すように、開閉用突起６０をリンクプレート５０のピン部５３側に接近させて、リンクプレート５０を揺動させるため、弁体３２の先端面３４ａを原水供給路１５側の弁座２４から離し、また、弁体３３の先端面３４ａを浄水供給路１６側の弁座２４に当接させることとなる。すなわち、第１流入口２７を開弁させ、第２流入口２８を閉弁させることとなる。そして、この流入用振り子５７の時計方向の揺動は、当接片６３が流出用振り子６５の当接部位７１から離れるだけであり、流入用振り子６５は揺動せず、弁体７４が、第２流出口３０の開弁状態を維持する。その結果、図８・９に示すように、シャワーヘッド１は、弁室２６内に第１流入口２７から原水ＮＷが流入し、その原水ＮＷが第２流出口３０から流出してストレート吐水されることとなる。なお、この状態は、操作ボタン９８を押圧操作した状態であるため、操作ボタン９８は、原水ストレートボタンとして使用することができる。
【００６６】
また、図２・３・１１に示す状態から、すなわち、浄水ストレートボタンとしての操作ボタン９６を押した状態から、原水シャワーボタンとしての操作ボタン９７を押圧操作すると、流出用振り子６５が揺動中心Ｏを中心として、図１１から図１３に示すように、時計方向に揺動し、第２流出口３０の開弁状態から第１流出口２９の開弁状態に移行する。また、この時、流出用振り子６５が当接部位７１によって当接片６３を押すため、流入用振り子５７も共回りして時計方向に揺動する。そして、流入用振り子５７が、開閉用突起６０をリンクプレート５０のピン部５３に接近させることから、リンクプレート５０が揺動して弁体３２を開弁させ弁体３３を閉弁させる。その結果、原水ＮＷが、開弁された第１流入口２７から弁室２６内に流入して第１流出口３０から流出し、シャワー吐水されることとなる。
【００６７】
なお、図１３に示す状態から、すなわち、原水シャワーボタンとしての操作ボタン９７を押圧操作した状態から、原水ストレートボタンとしての操作ボタン９８を押圧操作すれば、流出用第１ピン９３が押圧されて、流出用振り子６５が反時計方向に揺動して、弁体７４を第２流出口３０側に移動させて、第２流出口３０を閉弁させて第１流出口２９を開弁させる。この時、流出用振り子６５の揺動は、単に、流入用振り子５７の当接片６３から離れる方向の揺動であり、流入用振り子５７は、第１流入口２７の開弁状態を維持する。その結果、この操作時のシャワーヘッド１は、原水ＮＷをシャワー吐水させることとなる。
【００６８】
また、図１２に示す状態から、すなわち、原水ストレートボタンとしての操作ボタン９８を押圧操作した状態から、浄水ストレートボタンとしての操作ボタン９６を押圧操作すれば、第２流出口３０を開弁させている流出用振り子６５が揺動することなく、流入用振り子５７だけが反時計方向に揺動して、第１流入口２７を閉弁させて第２流出口２８を開弁させるため、シャワーヘッド１は、浄水ＣＷをストレート吐水させることとなる。
【００６９】
さらに、図１２に示す原水ストレートボタンとしての操作ボタン９８を押圧操作した状態から、原水シャワーボタン９７を押圧操作すれば、第１流入口２７を開弁させている流入用振り子５７が揺動することなく、流出用振り子６５だけが時計方向に揺動して、第２流出口３０を閉弁させて第１流出口２９を開弁させるため、シャワーヘッド１は、原水ＮＷをシャワー吐水させることとなる。
【００７０】
以上のように、実施形態の水切換弁１８では、第１流入口２７から流入する原水ＮＷを、第１・２流出口２９・３０から流出させることができるものの、第２流入口２８から流入する浄水ＣＷは、第２流出口３０からのみ流出させることができる。
【００７１】
そして、このような機構が、相互の揺動面を略平行として相互に重なるように配設される流入用振り子５７と流出用振り子６５とを使用し、さらに、単に、一方の流入用振り子５７から他方の流出用振り子６５側に突設される当接片６３を設けるだけで、構成できることから、水切換弁１８をシンプルかつコンパクトに構成することができる。
【００７２】
したがって、実施形態の水切換弁１８は、シンプルかつコンパクトな機構として、流入する二種類の水の内の一方の水の流出時に、二種類の流出口２９・３０の内の一方の流出口３０だけに限定して、流出させることができる。
【００７３】
なお、実施形態では、第１流入口２７から原水ＮＷを流入させ、第２流入口２８から浄水ＣＷを流入させ、また、第１流出口２９を経てシャワー吐水させ、第２流出口３０を経てストレート吐水させた場合を示したが、それらの口を、適宜、反対側に配置させてもよい。
【００７４】
また、実施形態では、当接片６３を流入用振り子５７に設けた場合を示したが、流出用振り子６５から流入用振り子５７に当接する当接片を設けてもよい。ちなみに、実施形態の各ボタン９６・９７・９８を、実施形態と同様に、浄水ストレートボタン、原水シャワーボタン、及び、原水ストレートボタンとして、使用する場合には、流出用振り子６５に設ける当接片６３Ａと流入用振り子５７の当接部位７１Ａとは、図７・１１の二点鎖線に示すように、図１１に示す当接片６３や当接部位７１と逆方向の側面側に、すなわち、弁体３２・３３と揺動中心Ｏとを結ぶ直線を基準とした線対称（左右対称）位置に、配置すればよい。
【００７５】
さらに、実施形態の水切換弁１８では、流入用操作杆８８が、それぞれの弁室２６側への押圧時に、流入用振り子５７を第１流入口２７の開弁状態から第２流入口２８の開弁状態に揺動可能な流入用第１ピン８９と、流入用振り子５７を第２流入口２８の開弁状態から第１流入口２７の開弁状態に揺動可能な流入用第２ピン９０と、から構成されている。また、流出用操作杆９２も、それぞれの弁室２６側への押圧時に、流出用振り子６５を第１流出口２９の開弁状態から第２流出口３０の開弁状態に揺動可能な流出用第１ピン９３と、流出用振り子６５を第２流出口３０の開弁状態から第１流出口２９の開弁状態に揺動可能な流出用第２ピン９４と、から構成されている。さらに、流入用第２ピン９０と流出用第１ピン９３とを隣接して配置するとともに、弁室２６外に突出する両端部９０ｂ・９３ｂを、一つの操作ボタン９８により覆っている。
【００７６】
このような構成では、流入用・流出用の操作杆８８・９２が、それぞれ、流入用振り子５７と流出用振り子６５との一方向の揺動時にそれぞれ弁室２６側へ押圧操作できる二本ずつの第１・２ピン８９・９０・９３・９４から構成されているため、流入用・流出用振り子５７・６５の揺動操作を的確に行なうことができる。さらに、流入用・流出用操作杆８８・９２におけるピン９０・９３の端部９０ｂ・９３ｂを、一つの操作ボタン９８で覆い、残りの二つのピン８９・９４にそれぞれ操作ボタン９６・９７を設けている。そのため、三種類の水の流出態様に応じて、すなわち、操作ボタン９８を押圧操作する原水ストレート吐水、操作ボタン９６を押圧操作する浄水ストレート吐水、及び、操作ボタン９７を押圧操作する原水シャワー吐水として、各操作ボタン９６・９７・９８を操作することができて、水切換弁１８若しくはシャワーヘッド１を、誤操作を無くしたシンプルな構成とすることができる。
【００７７】
なお、二本のピンを覆う一つの操作ボタン９８は、流入用第１ピン８９と流出用第１ピン９３とを覆ったり、あるいは、流入用第２ピン９０と流出用第２ピン９４とを覆うように配設させてもよいが、操作時の荷重を小さくするため、流入用振り子５７と流出用振り子６５とを共回りさせる操作でなく、実施形態のように、流入用振り子５７と流出用振り子６５とを単独で揺動させる際に操作するピン９０・９３を、覆うように配設することが望ましい。
【００７８】
また、実施形態の水切換弁１８は、第１・第２流入口２７・２８に配置される弁体３２・３３が、それぞれ、内部を水流入路３４ｃとする筒状として、水密性を有しかつ軸方向に摺動可能に、弁室２６から水の供給路１５・１６側へ突設させるとともに、リンクプレート５０を介在させて流入用振り子５７に連動させ、閉弁時、先端面３４ａを、供給路１５・１６側に配置された弁座２４に当接させ、開弁時、先端面３４ａを弁座２４から離すように、配設されている。
【００７９】
このような構成では、図１６・１７に示す水切換弁１０８の弁体１０９・１１０に比べて、軽い操作荷重で、開弁操作と閉弁操作とを行なうことができる。この水切換弁１０８の弁体１０９・１１０は、アッパケース３８の第１・２挿通孔４３ａ・４３ｂの供給路１５・１６側の周縁を弁座１１４として、第１・２挿通孔４３ａ・４３ｂの開口部位の全域を開閉するように配設されている。
【００８０】
これらの弁体１０９・１１０は、図１８に示すように、第１・２挿通孔４３ａ・４３ｂの開口部位の全域を開閉可能な半割球状の本体部１１１と、挿通孔４３ａ・４３ｂを挿通して弁室２６内側に延びる連結片部１１２と、を備えて構成されている。本体部１１１には、開弁・閉弁時の移動が円滑に行われるように、第１・２筒部４４・４５のガイドリブ４４ａ・４５ａに摺動可能に嵌合するガイド片１１１ａが設けられている。そして、弁体１０９・１１０は、コネクタ２０の各支持部２１・２２との間に、付勢手段としてのコイルばね１１３を配設させて、閉弁方向に付勢されている。また、各弁体１０９・１１０の連結片部１１２は、弁室２６に揺動可能に配置されるカム１１６の各作動片１１６ａ・１１６ｂに当接するように配設されている。カム１１６は、上下方向に延びる軸部１１６ｃをアッパケース３８とロアケース７７とに回動可能に支持させ、揺動時の流入用振り子５７Ａにおける開閉用突起６０が作動片１１６ａ若しくは作動片１１６ｂを押圧することにより、作動片１１６ａ・１１６ｂが揺動し、ばね１１３の付勢力に抗して、連結片部１１２を弁室２６外側に押し出し、弁体１０９若しくは弁体１１０の一方を開弁させ、かつ、他方を閉弁させる。なお、流入用振り子５７Ａは、開閉用突起６０がカム１１６の作動片１１６ａ・１１６ｂを押圧操作できるように構成されているものの、水切換弁１８と同様に、当接片６３を備えて構成されている。また、この水切換弁１０８では、上述した以外の他の部位・部品等は、流出用振り子６５・操作杆８８・９２・操作ボタン９６・９７・９８を含めて、水切換弁１８と略同様に構成されており、水切換弁１８と同様な部位には同一符号を付して説明を省略する。
【００８１】
そして、この水切換弁１０８では、各操作ボタン９６・９７・９８の押圧操作により、水切換弁１８と同様に、浄水ストレート吐水、原水シャワー吐水、及び、原水ストレート吐水の三態様の水の流出態様を操作することができる。すなわち、浄水ストレートボタンとしての操作ボタン９７を押圧操作すれば、図１６・１７に示すように、流入用振り子５７Ａの反時計方向の揺動とともに、作動片１１６ｂが押されて、第２流入口２８が開弁され、かつ、当接片６３により、流出用振り子６５が流入用振り子５７と共回りして、第２流出口３０を開弁させるため、浄水ＣＷがストレート吐水される。また、図１６・１７に示す状態から、原水シャワーボタンとしての操作ボタン９７を押圧操作すれば、流出用振り子６５が第１流出口２９を開弁させ、かつ、当接片６３を押して流入用振り子５７Ａを共回りさせて、開閉用突起６０がカム１１６の作動片１１６ａを押し、原水供給路１５側の弁体１０９の連結片部１１２を弁室２６外側に押し出すことから、弁体１０９の本体部１１１が原水供給路１５側の弁座１１４から離れて第１流入口２７を開弁させ、かつ、浄水供給路１６側の弁体１１０の本体部１１１が、ばね１１３の付勢力により、浄水供給路１６側の弁座１１４に当接して、第２流入口２８を閉弁するため、原水ＮＷがシャワー吐水される。さらに、図１６・１７の状態から、原水ストレートボタン９８を押圧操作すれば、流入用振り子５７Ａだけが時計方向に揺動して、第１流入口２７を開弁させることから、原水ＮＷがストレート吐水される。
【００８２】
そして、この水切換弁１０８では、閉弁時の各弁体１０９・１１０には、供給路１５・１６側の水圧が、第１・２挿通孔４３ａ・４３ｂの開口部位の面積の全域に作用し、その圧力に応じた付勢手段としてのばね１１３が必要となる。そして、逆に、弁体１０９・１１０を開弁させる際には、ばね１１３の付勢力に対抗するように、大きな操作荷重が必要となる。特に、原水ＮＷの水供給路１５側では、原水ＮＷがカートリッジ１１を経た場合のように圧力損失が生じておらず、ばね１１３の付勢力を大きくする必要が生ずることから、弁体１０９の開弁操作には、大きな操作荷重が必要となる。
【００８３】
これに対して、水切換弁１８では、弁体３２・３３の閉弁時には、水の供給路１５・１６側の開口部位（すなわち、弁体３２・３３の弁体筒部３４の外形形状に応じた部位）の全域に比べて、小さい面積となる筒状弁体３２・３３の先端面３４ａの面積に応じた水圧が、作用するだけであって、閉弁時に利用するばね４８の付勢手段は、小さい荷重で済み、その結果、開弁時の操作荷重も小さくすることができる。したがって、このような実施形態の水切換弁１８の構成では、弁体３２・３３の閉弁時や開弁時の付勢手段や操作荷重を小さくすることができる。
【００８４】
また、実施形態のシャワーヘッド１では、水切換弁１８がハウジング５内に収納されていることから、第１・２流入口２７・２８から流入する原水ＮＷや浄水ＣＷが高温であっても、それらの高温の水ＮＷ・ＣＷから操作する使用者を保護することができる。
【００８５】
さらに、実施形態のシャワーヘッド１では、ハウジング５の外表面に、金属光沢のメッキ層５ａが設けられているため、外観を良好にすることができる。
【図面の簡単な説明】
【図１】本発明の一実施形態のシャワーヘッドを示す部分斜視図である。
【図２】同実施形態の概略縦断面図である。
【図３】同実施形態の概略横断面図である。
【図４】同実施形態の概略縦断面図であり、図３のＩＶ−ＩＶ部位に対応する。
【図５】同実施形態の概略縦断面図であり、図３のＶ−Ｖ部位に対応する。
【図６】同実施形態の概略縦断面図であり、図３のＶＩ−ＶＩ部位に対応する。
【図７】同実施形態の水切換弁の主要部品の分解斜視図である。
【図８】同実施形態の操作時の一態様を示す概略縦断面図である。
【図９】図８に示す状態のシャワーヘッドの概略横断面図である。
【図１０】同実施形態の第１流出口と第２流出口との開弁状態を説明する図である。
【図１１】同実施形態の水切換弁の使用時における浄水ストレート吐水の状態を示す主要部品の平面図である。
【図１２】同実施形態の水切換弁の使用時における原水ストレート吐水の状態を示す主要部品の平面図である。
【図１３】同実施形態の水切換弁の使用時における原水シャワー吐水の状態を示す主要部品の平面図である。
【図１４】同実施形態の水切換弁における水供給路側の部分分解斜視図である。
【図１５】同実施形態の水切換弁における水供給路側の弁機構を示す拡大横断面図である。
【図１６】他の実施形態の水切換弁の使用時における概略縦断面図である。
【図１７】図１６に示す水切換弁の概略横断面図である。
【図１８】図１６に示す水切換弁の主要部品の分解斜視図である。
【符号の説明】
１…（吐水具）シャワーヘッド、５…ハウジング、１５…原水供給路、１６…浄水供給路、１８・１０８…水切換弁、２４・１１４…弁座、２６…弁室、２７…第１流入口、２８…第２流入口、２９…第１流出口、３０…第２流出口、３２・３３・１０９・１１０…（第１・２流入口側の）弁体、４８・１１３…（付勢手段）ばね、５７・５７Ａ…流入用振り子、６３・６３Ａ…当接片、６５…流出用振り子、７１・７１Ａ…当接部位、７４…（第１・２流出口側の）弁体、８８…流入用操作杆、８９…流入用第１ピン、９０…流入用第２ピン、９２…流出用操作杆、９３…流出用第１ピン、９４…流出用第２ピン、９６・９７・９８…操作ボタン、ＮＷ…原水、ＣＷ…浄水。
【図１】
2004121916.tif 000003
【図２】
2004121916.tif 000004
【図３】
2004121916.tif 000005
【図４】
2004121916.tif 000006
【図５】
2004121916.tif 000007
【図６】
2004121916.tif 000008
【図７】
2004121916.tif 000009
【図８】
2004121916.tif 000010
【図９】
2004121916.tif 000011
【図１０】
2004121916.tif 000012
【図１１】
2004121916.tif 000013
【図１２】
2004121916.tif 000014
【図１３】
2004121916.tif 000015
【図１４】
2004121916.tif 000016
【図１５】
2004121916.tif 000017
【図１６】
2004121916.tif 000018
【図１７】
2004121916.tif 000019
【図１８】
2004121916.tif 000020